(57)【特許請求の範囲】
【請求項１】
紙葉類が挿入される挿入口を有する装置本体と、
前記装置本体に着脱可能であって、前記挿入口から挿入された紙葉類を収容する収容部とを備え、
前記収容部は、記憶手段を有し、
前記装置本体は、前記挿入口から挿入された紙葉類の情報及び前記装置本体の固有のＩＤ情報を前記収容部の前記記憶手段に送信すると共に、前記収容部の前記記憶手段に記憶された情報と照合するために前記収容部に送信した情報と同一の情報を管理サーバに送信する制御手段を有することを特徴とする紙葉類処理装置。
【請求項２】
前記装置本体は、前記収容部に紙葉類が収容される度に、前記挿入口から挿入された紙葉類の情報及び前記装置本体の固有のＩＤ情報を前記管理サーバと前記収容部に送信することを特徴とする請求項１に記載の紙葉類処理装置。
【請求項３】
前記収容部は、
紙葉類が載置される載置プレートと、
紙葉類を前記載置プレートに押し付ける押圧位置と、紙葉類の通路を閉塞する待機位置とにわたって移動する押圧板とを有し、
前記装置本体は、
前記押圧板の位置を検知する押圧板検知センサを有し、
前記制御手段は、
前記押圧板検知センサによって、前記押圧板が前記押圧位置から前記待機位置に移動したことが検知された後、前記挿入口から挿入された紙葉類の情報及び前記装置本体の固有のＩＤ情報を前記管理サーバと前記収容部に送信することを特徴とする請求項２に記載の紙葉類処理装置。
【請求項４】
紙葉類が挿入される挿入口を有する紙葉類処理装置本体と、
前記紙葉類処理装置本体に着脱可能であって、前記挿入口から挿入された紙葉類を収容する収容部と、
管理システムとを備え、
前記紙葉類処理装置本体は、前記挿入口から挿入された紙葉類の情報及び前記紙葉類処理装置本体の固有のＩＤ情報を、前記管理システムと前記収容部に送信する制御手段を有し、
前記収容部は、前記制御手段から送信された紙葉類の情報及びＩＤ情報を受信して記憶する記憶手段を有し、
前記管理システムは、前記紙葉類処理装置本体から受信した紙葉類の情報及びＩＤ情報を、前記収容部の前記記憶手段から読み出した紙葉類の情報及びＩＤ情報と照合することを特徴とする紙葉類処理システム。
【請求項５】
前記紙葉類処理装置本体は、前記収容部に紙葉類が収容される度に、前記挿入口から挿入された紙葉類の情報及び前記紙葉類処理装置本体の固有のＩＤ情報を前記管理システムと前記収容部に送信することを特徴とする請求項４に記載の紙葉類処理システム。
【請求項６】
前記収容部は、
紙葉類が載置される載置プレートと、
紙葉類を前記載置プレートに押し付ける押圧位置と、紙葉類の通路を閉塞する待機位置とにわたって移動する押圧板とを有し、
前記紙葉類処理装置本体は、
前記押圧板の位置を検知する押圧板検知センサを有し、
前記制御手段は、
前記押圧板検知センサによって、前記押圧板が前記押圧位置から前記待機位置に移動したことが検知された後、前記挿入口から挿入された紙葉類の情報及び前記紙葉類処理装置本体の固有のＩＤ情報を前記管理システムと前記収容部に送信することを特徴とする請求項５に記載の紙葉類処理システム。
【発明の詳細な説明】
【技術分野】
【０００１】
本発明は、各種の遊技機や自動販売機などのサービス機器に組み込まれ、紙幣やクーポン券などの経済価値を有する紙葉類が挿入されることで、商品やサービス等を提供する紙葉類処理装置とそれを用いた紙葉類処理システムに関する。
【背景技術】
【０００２】
従来、上記したような紙葉類処理装置の一態様である紙幣処理装置は、利用者によって挿入口から挿入された紙幣の有効性を識別し、有効と判定された紙幣価値に応じて、各種の商品やサービスを提供するサービス機器、例えば遊技場に設置されている遊技機、或いは、公共の場に設置されている自動販売機や券売機等に組み込まれている。通常、このような紙幣処理装置は、挿入口から挿入された紙幣の真贋を判定し、有効と判定された紙幣を、着脱可能な収容体（金庫）に収容するよう構成されている。
【０００３】
上記した紙幣処理装置では、例えば、特許文献１に開示されているように、挿入された紙幣と実際に収容体内に収容された紙幣との整合性を確認できるように、収容体に記憶部を設けることが知られている。具体的には、装置本体側の紙幣識別部に紙幣識別制御回路基板を設置すると共に、収容体側に紙幣収容体制御回路基板を設置しておき、接続端子を介して両者の間で情報通信できるように構成されている。すなわち、紙幣識別制御回路基板から、挿入された紙幣に関する情報を紙幣収容体制御回路基板に送信し、その基板上に実装された記憶部で紙幣情報を記憶することで、実際に収容体内に収容される紙幣の情報が記憶、管理される。
【先行技術文献】
【特許文献】
【０００４】
【特許文献１】特開２００５−１８６４４号
【発明の概要】
【発明が解決しようとする課題】
【０００５】
本発明は、紙葉類に対する不正行為の二重チェックを行うことができ、より信頼性の高い紙葉類処理装置及び紙葉類処理システムを提供することを目的とする。
【課題を解決するための手段】
【０００６】
本発明の紙葉類処理装置は、紙葉類が挿入される挿入口を有する装置本体と、前記装置本体に着脱可能であって、前記挿入口から挿入された紙葉類を収容する収容部とを備え、前記収容部は、記憶手段を有し、前記装置本体は、前記挿入口から挿入された紙葉類の情報及び前記装置本体の固有のＩＤ情報を前記収容部の前記記憶手段に送信すると共に、前記収容部の前記記憶手段に記憶された情報と照合するために前記収容部に送信した情報と同一の情報を管理サーバに送信する制御手段を有することを特徴とする。
【０００７】
上記した構成の紙葉類処理装置によれば、紙葉類処理装置から収容部を取り外した後、収容部の記憶手段に記録されている紙葉類の情報を読み出して、その読み出した情報を、管理サーバに記録されている情報と照合することにより、不正行為をチェックすることができる。また、収容部の記憶手段から読み出した紙葉類の情報と、実際に収容部に収容されている紙葉類とを対比することでも、不正行為をチェックすることができるため、二重チェックが行えるようになり、信頼性がより向上する。
また、本発明の紙葉類処理装置では、前記装置本体は、前記収容部に紙葉類が収容される度に、前記挿入口から挿入された紙葉類の情報及び前記装置本体の固有のＩＤ情報を前記管理サーバと前記収容部に送信することが好ましい。さらに、この構成において、前記収容部は、紙葉類が載置される載置プレートと、紙葉類を前記載置プレートに押し付ける押圧位置と、紙葉類の通路を閉塞する待機位置とにわたって移動する押圧板とを有し、前記装置本体は、前記押圧板の位置を検知する押圧板検知センサを有し、前記制御手段は、前記押圧板検知センサによって、前記押圧板が前記押圧位置から前記待機位置に移動したことが検知された後、前記挿入口から挿入された紙葉類の情報及び前記装置本体の固有のＩＤ情報を前記管理サーバと前記収容部に送信することが好ましい。
【０００８】
また、本発明の紙葉類処理システムは、紙葉類が挿入される挿入口を有する紙葉類処理装置本体と、前記紙葉類処理装置本体に着脱可能であって、前記挿入口から挿入された紙葉類を収容する収容部と、管理システムとを備え、前記紙葉類処理装置本体は、前記挿入口から挿入された紙葉類の情報及び前記紙葉類処理装置本体の固有のＩＤ情報を、前記管理システムと前記収容部に送信する制御手段を有し、前記収容部は、前記制御手段から送信された紙葉類の情報及びＩＤ情報を受信して記憶する記憶手段を有し、前記管理システムは、前記紙葉類処理装置本体から受信した紙葉類の情報及びＩＤ情報を、前記収容部の前記記憶手段から読み出した紙葉類の情報及びＩＤ情報と照合することを特徴とする。
【０００９】
上記した構成の紙葉類処理システムによれば、上述の紙葉類処理装置と同様の効果が得られる。
また、本発明の紙葉類処理システムでは、前記紙葉類処理装置本体は、前記収容部に紙葉類が収容される度に、前記挿入口から挿入された紙葉類の情報及び前記紙葉類処理装置本体の固有のＩＤ情報を前記管理システムと前記収容部に送信することが好ましい。さらに、この構成において、前記収容部は、紙葉類が載置される載置プレートと、紙葉類を前記載置プレートに押し付ける押圧位置と、紙葉類の通路を閉塞する待機位置とにわたって移動する押圧板とを有し、前記紙葉類処理装置本体は、前記押圧板の位置を検知する押圧板検知センサを有し、前記制御手段は、前記押圧板検知センサによって、前記押圧板が前記押圧位置から前記待機位置に移動したことが検知された後、前記挿入口から挿入された紙葉類の情報及び前記紙葉類処理装置本体の固有のＩＤ情報を前記管理システムと前記収容部に送信することが好ましい。
【発明の効果】
【００１０】
本発明によれば、紙葉類に対する不正行為の二重チェックを行うことができ、信頼性がより向上する。
【図面の簡単な説明】
【００１１】
【図１】本実施形態に係る紙幣処理装置の構成を示す図であり、全体構成を示す斜視図。
【図２】開閉部材を装置本体の本体フレームに対して開いた状態を示す斜視図。
【図３】装置本体の動力伝達部の構成を示す斜視図。
【図４】挿入口から挿入される紙幣の搬送経路を概略的に示した右側面図。
【図５】紙幣収容部に配設される押圧板を駆動するための動力伝達機構の概略構成を示す図。
【図６】紙幣搬送機構を駆動するための駆動源及び駆動力伝達機構の概略構成を示す左側面図。
【図７】紙幣処理装置の分解斜視図。
【図８】図８は、紙幣収容部の内部を側方から見た一部切欠斜視図。
【図９】紙幣収容部の内部を上方から見た一部切欠斜視図。
【図１０】紙幣処理装置の動作を制御する制御手段のブロック図。
【図１１】紙幣処理装置に収容される入金情報を管理するための外部装置の概略構成を示すブロック図。
【図１２】（ａ）は、紙幣収容部の着脱方向に沿った方向でリーダライタと記憶手段を配置した状態を示す模式図、（ｂ）は、紙幣収容部の着脱方向と直交するような方向でリーダライタと記憶手段を配置した状態を示す模式図。
【図１３】本実施形態の紙幣処理装置における紙幣の処理動作の手順を説明するフローチャート（その１）。
【図１４】本実施形態の紙幣処理装置における紙幣の処理動作の手順を説明するフローチャート（その２）。
【図１５】本実施形態の紙幣処理装置における紙幣の処理動作の手順を説明するフローチャート（その３）。
【図１６】搬送路開放処理の手順を示すフローチャート。
【図１７】スキュー補正作動処理の手順を示すフローチャート。
【図１８】搬送路閉鎖処理の手順を示すフローチャート。
【図１９】押圧板駆動処理の手順を示すフローチャート。
【発明を実施するための形態】
【００１２】
図１から図９は、本発明に係る紙葉類処理装置の一実施形態である紙幣処理装置を示しており、図１は、全体構成を示す斜視図、図２は、開閉部材を装置本体の本体フレームに対して開いた状態を示す斜視図、図３は、装置本体の動力伝達部の構成を示す斜視図、図４は、挿入口から挿入される紙幣の搬送経路を概略的に示した右側面図、図５は、紙幣収容部に配設される押圧板を駆動するための動力伝達機構の概略構成を示す図、図６は、紙幣搬送機構を駆動するための駆動源及び駆動力伝達機構の概略構成を示す左側面図、図７は、紙幣処理装置の分解斜視図、図８は、紙幣収容部の内部を側方から見た一部切欠斜視図、そして、図９は、紙幣収容部の内部を上方から見た一部切欠斜視図である。
【００１３】
本実施形態の紙幣処理装置１は、例えば、スロットマシン等の各種の遊技機に組み込み可能に構成されており、装置本体２と、この装置本体２に設けられ、多数の紙幣を積層、収容することが可能な紙幣収容部（紙幣収容スタッカ）１００とを備えている。この紙幣収容部１００は金庫としての機能を備えており、装置本体２を構成するフレーム２Ａに対して着脱可能に構成されている。本実施形態では、例えば、図示されていないロック機構が解除された状態で、前面に設けられた取っ手１０１を引くことで、装置本体２のフレーム２Ａから取り外すことが可能となっている。
【００１４】
なお、上記した紙幣処理装置１は、図７に示すように、主に３つの構造体によって構成されている。すなわち、紙幣処理装置１は、前記装置本体２と、装置本体２が着脱可能に載置されるスタンド（枠体）２Ｄと、スタンド２Ｄに対して着脱可能に装着される紙幣収容部１００とを備えている。
【００１５】
この場合、装置本体２の裏面側には、磁気センサ１４０、及び紙幣情報の書き込みがされるように、紙幣収容部１００の上壁１０２ｂに設けられた記憶手段１０４に対して情報の書き込みや読み取りを行うリーダライタ１４２等が実装された回路基板１４１を設置したプレート２Ｆが一体的に取着される。このプレート２Ｆは、装置本体を構成するフレーム２Ａと前記スタンド２Ｄの表面との間に介在され、両者の間で固定される。
【００１６】
装置本体２は、図２及び図３に示すように、前記フレーム２Ａと、フレーム２Ａに対して一端部を回動中心として開閉されるように構成された開閉部材２Ｂとを有している。そして、これらフレーム２Ａ及び開閉部材２Ｂは、図４に示すように、開閉部材２Ｂをフレーム２Ａに対して閉じた際、両者の対向部分に紙幣が搬送される隙間（紙幣搬送路）３が形成されると共に、両者の前面露出側に、前記紙幣搬送路３に一致するようにして、紙幣挿入口５が形成されるよう構成されている。なお、前記紙幣挿入口５は、紙幣の短い辺側から装置本体２の内部に挿入できるようにスリット状の開口となっている。
【００１７】
前記装置本体２内には、紙幣を搬送する紙幣搬送機構６と、紙幣挿入口５に挿入された紙幣を検知する挿入検知センサ７と、挿入検知センサ７の下流側に設置され、搬送状態にある紙幣の情報を読取る紙幣読取手段８と、この紙幣読取手段８に対して、紙幣を正確に位置決めして搬送するスキュー補正機構１０と、紙幣がスキュー補正機構１０を構成する可動片を通過したことを検知する可動片通過検知センサ１２と、紙幣が紙幣収容部１００に排出されたことを検知する排出検知センサ１８と、紙幣収容部１００内で紙幣を載置プレート１０５に向けて押圧する押圧板１１５の位置を検出可能な押圧板検知センサ２３と、紙幣収容部１００内に積層、収容される紙幣が所定の状態になったか否かを検出するセンサ（磁気センサ１４０）と、上記した紙幣搬送機構６、紙幣読取手段８、スキュー補正機構１０等の駆動を制御する制御手段２００（制御回路基板２００Ａ；図１０参照）とが設けられている。
【００１８】
以下、上記した各構成部材について、詳細に説明する。 
前記紙幣搬送路３は、紙幣挿入口５から奥側に向けて延出しており、その後方側で下方に向けて傾斜するように屈曲され、そして最終的に鉛直方向に向けて屈曲するように形成されている。紙幣搬送路３には、紙幣収容部１００に紙幣を排出する排出口３ａが形成されており、ここから排出される紙幣は、鉛直方向に向けて、紙幣収容部１００の導入口（受入口）１０３に送り込まれる。
【００１９】
前記紙幣搬送機構６は、紙幣挿入口５から挿入された紙幣を挿入方向に沿って搬送可能にすると共に、挿入状態にある紙幣を紙幣挿入口５に向けて差し戻し搬送可能とする機構である。この紙幣搬送機構６は、装置本体２内に設置された駆動源であるモータ１３（図６参照）と、このモータ１３によって回転駆動され、紙幣搬送路３に紙幣搬送方向に沿って所定間隔おいて配設される搬送ローラ対（１４Ａ，１４Ｂ）、（１５Ａ，１５Ｂ）、（１６Ａ，１６Ｂ）、及び（１７Ａ，１７Ｂ）を備えている。
【００２０】
前記搬送ローラ対は、紙幣搬送路３に一部が露出するように設置されて、いずれも紙幣搬送路３の下側に設置される搬送ローラ１４Ｂ，１５Ｂ，１６Ｂ及び１７Ｂがモータ１３によって駆動されるローラとなっており、上側に設置される搬送ローラ１４Ａ，１５Ａ，１６Ａ及び１７Ａが、これらのローラに対して従動するピンチローラとなっている。なお、紙幣挿入口５から挿入された紙幣を最初に挟持して奥側に搬送する搬送ローラ対（１４Ａ，１４Ｂ）は、図２及び図３に示すように、紙幣搬送路３の中心位置に１箇所設置されており、その下流側に順次配置される搬送ローラ対（１５Ａ，１５Ｂ）、（１６Ａ，１６Ｂ）、及び（１７Ａ，１７Ｂ）については、紙幣搬送路３の幅方向に沿って、所定間隔をおいて２箇所設置されている。
【００２１】
また、上記した紙幣挿入口５の近傍に配置される搬送ローラ対（１４Ａ，１４Ｂ）については、通常は、上側の搬送ローラ１４Ａが下側の搬送ローラ１４Ｂから離間した状態となっており、紙幣の挿入が挿入検知センサ７によって検知されると、上側の搬送ローラ１４Ａが下側の搬送ローラ１４Ｂに向けて駆動され、挿入された紙幣を挟持するようになっている。なお、上側の搬送ローラ１４Ａについては、駆動源７０（図１０のブロック図参照）によって、搬送ローラ１４Ｂに対して当接／離間するように駆動制御される。この駆動源７０については、モータやソレノイド等によって構成することができ、開閉部材２Ｂ内に設置される。
【００２２】
そして、前記スキュー補正機構１０によって、挿入された紙幣の傾きを無くし紙幣読取手段８に対して位置合わせする処理（スキュー補正処理）が行われる際には、上側の搬送ローラ１４Ａは、下側の搬送ローラ１４Ｂから離間して紙幣に対する負荷を解除し、スキュー補正処理が終了すると、再び、上側の搬送ローラ１４Ａが下側の搬送ローラ１４Ｂに向けて駆動され、紙幣を挟持する。スキュー補正機構１０は、スキューの補正を果たす左右一対の可動片１０Ａ（片側のみ図示）を備えており、スキュー駆動機構用のモータ４０を駆動することでスキューの補正処理が成される。
【００２３】
上記した紙幣搬送路３の下側に設置される搬送ローラ１４Ｂ，１５Ｂ，１６Ｂ及び１７Ｂは、図６に示すように、モータ１３、及び各搬送ローラの駆動軸の端部に設置されるプーリ１４Ｃ，１５Ｃ，１６Ｃ及び１７Ｃを介して回転駆動される。すなわち、モータ１３の出力軸には、駆動プーリ１３Ａが設置されており、上記した各搬送ローラの駆動軸の端部に設置されるプーリ１４Ｃ，１５Ｃ，１６Ｃ及び１７Ｃには、駆動プーリ１３Ａとの間で駆動ベルト１３Ｂが巻回されている。なお、駆動ベルト１３Ｂには、適所にテンションプーリが係合しており、弛みを防止している。
【００２４】
上記した構成により、モータ１３が正転駆動されると、前記搬送ローラ１４Ｂ，１５Ｂ，１６Ｂ及び１７Ｂは同期して正転駆動され、紙幣を挿入方向に向けて搬送し、モータ１３が逆転駆動されると、前記搬送ローラ１４Ｂ，１５Ｂ，１６Ｂ及び１７Ｂは同期して逆転駆動され、紙幣を紙幣挿入口５側に向けて搬送する。
【００２５】
前記挿入検知センサ７は、紙幣挿入口５に挿入された紙幣を検知した際に検知信号を発生するものであり、本実施形態では、搬送ローラ対（１４Ａ，１４Ｂ）と、スキュー補正機構１０との間に設置されている。前記挿入検知センサ７は、光学式のセンサ、例えば、回帰反射型フォトセンサによって構成されているが、それ以外にも、機械式のセンサによって構成されていても良い。
【００２６】
また、前記可動片通過検知センサ１２は、紙幣の先端が、前記スキュー補正機構１０を構成する左右一対の可動片１０Ａを通過したことを検知した際に検知信号を発生するものであり、前記紙幣読取手段８の上流側に設置されている。この可動片検知センサ１２についても、前記挿入検知センサと同様、光学式のセンサや機械式のセンサによって構成される。
【００２７】
また、前記排出検知センサ１８は、通過する紙幣の後端を検知して、紙幣が紙幣収容部１００に排出されたことを検知するものであり、紙幣搬送路３の下流側において、紙幣収容部１００の受入口１０３の直前に配設されている。この排出検知センサ１８についても、前記挿入検知センサと同様、光学式のセンサや機械式のセンサによって構成される。
【００２８】
前記紙幣読取手段８は、スキュー補正機構１０によってスキュー補正された状態（正確に位置決めされた状態）で搬送される紙幣について、その紙幣情報を読取り、その真贋を判定する。具体的には、例えば、搬送される紙幣の両面側から光を照射し、その透過光と反射光を受光素子で検知することで紙幣の読取を行うラインセンサによって構成することができる。図においては、ラインセンサが示されており、このラインセンサで読取った光信号は光電変換され、予め格納されている真券のデータと比較照合することで、搬送される紙幣の真贋を識別する。
【００２９】
前記紙幣収容部１００は、紙幣読取手段８で真性と識別された紙幣を順次、積層、収容する。
【００３０】
図７に示すように、紙幣収容部１００を構成する本体フレーム１００Ａは、略直方体形状に構成されており、その前壁１０２ａの内側には、付勢手段（付勢バネ）１０６の一端が取り付けられ、その他端には、上記した受入口１０３を介して送り込まれる紙幣を順次、積層する載置プレート１０５が設けられている。このため、載置プレート１０５は、前記付勢手段１０６を介して、後述する押圧板１１５側に向けて付勢された状態になっている。
【００３１】
また、本体フレーム１００Ａの上壁１０２ｂには、上述したように、記憶手段１０４が取着されている。この記憶手段１０４は、非接触型で装置本体２側から送信される紙幣に関する情報等を記憶する機能を備えており、本実施形態では、ＲＦＩＤ（Radio Frequency Identification）タグによって構成されている。図７に拡大して示すように、この記憶手段１０４は、絶縁性の材料からなる基板１０４ａ上に実装されるＩＣチップ（記憶部）１０４ｂと、同基板１０４ａ上にプリントされ、前記ＩＣチップ１０４ｂに両端が接続されるコイルアンテナ１０４ｃとを備えている。この場合、ＩＤタグによって構成される記憶手段１０４は、電池を持たないパッシブ型によって構成されているが、もちろん、電池を具備したアクティブ型によって構成されていても良い。
【００３２】
前記記憶手段１０４に対して情報（主に真正と識別した紙幣情報）を書き込むリーダライタは、上述したように、装置本体２の裏面側に取着されるプレート２Ｆに設けられた回路基板１４１上に設けられており、記憶手段１０４に対して所定の間隔をおいて、無線により、紙幣情報等を送信する。すなわち、回路基板１４１上に設けられるリーダライタ１４２は、詳細に図示しないが、ＩＣチップやＬＣＲ等の受動部品から構成される通信制御部と、通信制御部に接続され、紙幣情報等を前記記憶手段１０４のコイルアンテナ１０４ｃに送信するアンテナと、通信に用いる電磁波の周波数や入出力のインピーダンスを考慮して整合を行うマッチング回路とを備えており、これらは、回路基板１４１上に実装されている。
【００３３】
また、本体フレーム１００Ａは、図８に示すように、下壁１０２ｃが、支軸１０２ｄを中心に矢印方向に回動するようになっており、内部に収容された紙幣を取り出すことができるようになっている。このため、下壁１０２ｃは、紙幣収容部１００の開閉扉としての機能を備えている。
【００３４】
なお、本実施形態の紙幣収容部の構成は、記憶手段１０４が上壁１０２ｂに設けられており、記憶手段１０４は、付勢手段１０６を介在させた状態で、開閉扉である下壁１０２ｃと対向する位置に設置されている。このように、開閉蓋となる部分と記憶手段との間に付勢手段１０６が介在するような関係にすることで、例えば、不正目的により下壁１０２ｃを開いて、不正情報が記憶された記憶部を、正規の記憶部と付け替えようとしても、図８に示すように、下壁１０２ｃと記憶手段１０４との間に介在される付勢手段（付勢バネ）１０６が邪魔になり、そのような不正な行為を効果的に防止することが可能となる。
【００３５】
また、本体フレーム１００Ａ内には、図４及び図５に示すように、受入口１０３に連続して、落下する紙幣をそのまま待機、保持させる押圧待機部１０８が設けられている。押圧待機部１０８の載置プレート側の両サイドには、鉛直方向に延出して一対の規制部材１１０が配置されている。この一対の規制部材１１０の間には、載置プレート１０５上に紙幣が順次、積層されるに際して、押圧板１１５が通過するように、開口部１１０Ａが形成されている。
【００３６】
また、本体フレーム１００Ａ内の両サイド壁には、前記載置プレート１０５が付勢手段１０６によって押圧された際、載置プレートが当て付くように、突出壁１００Ｂが形成されている。この突出壁１００Ｂは、載置プレート１０５上に紙幣が順次、積層されて、前記付勢手段１０６によって載置プレートが付勢された際、最上の紙幣の両サイドを当て付け、積層される紙幣を安定して保持する役目を果たす。
【００３７】
さらに、本体フレーム１００Ａ内には、受入口１０３から押圧待機部１０８に落下した紙幣を載置プレート１０５に向けて押圧する押圧板１１５が配設されている。この押圧板１１５は、前記一対の規制部材１１０の間に形成された開口部１１０Ａを往復移動できる程度の大きさに構成されており、紙幣を載置プレート１０５に押し付ける位置と、前記押圧待機部１０８を開放する位置との間で往復駆動される。
【００３８】
前記押圧板１１５は、本体フレーム１００Ａ内に配設される押圧板駆動機構１２０を介して、上記したように往復駆動される。押圧板駆動機構１２０は、押圧板１１５を、図５の矢印Ａ方向に往復移動可能となるように、両端が押圧板１１５に軸支された一対のリンク部材１１５ａ，１１５ｂを備えており、これらのリンク部材１１５ａ，１１５ｂはＸ字状に連結され、それぞれの反対側の端部は、垂直方向（矢印Ｂ方向）に移動可能に設置された可動部材１２２に軸支されている。この可動部材１２２には、矢印Ｂ方向に沿ってラックが形成されており、このラックには、押圧板駆動機構１２０を構成するピニオン（図５において、ピニオンは、ギヤ１２４Ｂと同軸上に配置される）が噛合している。
【００３９】
このピニオンには、図５に示すように、押圧板駆動機構１２０を構成する収容部側ギヤトレイン１２４が連結されている。この場合、本実施形態においては、図３及び図５に示すように、上述した装置本体２内に、駆動源（モータ２０）と、このモータ２０に順次噛合する本体側ギヤトレイン２１が配設されており、紙幣収容部１００を装置本体２（スタンド２Ｄ）に装着すると、本体側ギヤトレイン２１が収容部側ギヤトレイン１２４に連結するようになっている。収容部側ギヤトレイン１２４は、前記ピニオンと同軸上に配設されるギヤ１２４Ｂ、及びこれに順次噛合するギヤ１２４Ｃ，１２４Ｄを備えており、紙幣収容部１００を装置本体２のフレーム２Ａに対して着脱する際、ギヤ１２４Ｄが、本体側ギヤトレイン２１の最終ギヤ２１Ａと噛合、離間するよう構成されている。
【００４０】
この結果、上記した押圧板１１５は、装置本体２に設けられたモータ２０が回転駆動されることで、本体側ギヤトレイン２１、及び押圧板駆動機構１２０（収容部側ギヤトレイン１２４、可動部材１２２に形成されるラック、及びリンク部材１１５ａ，１１５ｂ等）を介して、矢印Ａ方向に往復駆動される。
【００４１】
前記装置本体２のフレーム２Ａ内には、載置プレート１０５上に所定枚数の紙幣が載置されたことを検出する磁気センサ１４０が設置されている。この磁気センサ１４０は、上述したように、装置本体２を構成するフレーム２Ａとスタンド２Ｄとの間に介在されるプレート２Ｆに設けられた前記回路基板１４１上に実装されている。そして、前記磁気センサ１４０に対して磁界を加える磁石１４０Ａは、紙幣収容部１００の載置プレート１０５の裏面中央部分に固定されている。
【００４２】
前記磁気センサ１４０は、載置プレート１０５が押し込まれる方向の所定の位置に設置されており、前記押圧板１１５によって載置プレート１０５が付勢手段１０６の付勢力に抗して押し込まれ、載置プレート１０５上の紙幣の積載量が多くなり、それが所定枚数を超えることで、磁石１４０Ａによる磁界が検知されて検知信号を発生する。磁気センサ１４０が設置される位置（閾値を超えて検知信号を発生する位置）は、装着される紙幣収容部の大きさに応じて予め決定されており、例えば、載置プレート１０５上に積載される紙幣が、予め定めておいた所定枚数に達する前になったとき、検知信号が発生するように設置されている。
【００４３】
この場合、前記磁気センサ１４０（回路基板１４１）は、押圧板１１５の押圧方向に沿って、複数箇所に設置しておいても良い。例えば、図７に示すように、磁気センサ１４０よりもさらに押圧方向の奥側に、同様な磁気センサ１４０Ｂを設置しておくことで、紙幣収容部１００に収容される紙幣に関し、異なる枚数を検知することが可能となる。これは、スタンド２Ｄに対して、収容枚数が異なる紙幣収容部１００が装着されることを考慮したものであり、収容枚数が異なる紙幣収容部が装着されても、同一の装置本体２で対応することが可能となる。
【００４４】
また、上記した紙幣収容部１００の本体フレーム１００Ａには、前記受入口１０３から搬入される紙幣に対して接触可能な搬送部材１５０が設置されている。この搬送部材１５０は、搬入される紙幣に接触して、安定して紙幣を押圧待機部１０８の適正位置（押圧板１１５で紙幣を押圧した際、紙幣が左右に片寄ることなく、安定して押圧できる位置）に案内する役目を果たす。本実施形態では、この搬送部材は、押圧待機部１０８に臨むように設置されたベルト状の部材（以下、ベルト１５０と称する）によって構成されている。
【００４５】
この場合、ベルト１５０は、紙幣に対して搬入方向に沿って延在するように設置されており、搬入方向の両端部に回転可能に支持された一対のプーリ１５０Ａ，１５０Ｂに巻回されている。また、ベルト１５０は、受入口１０３の領域に回転可能に支持された軸方向に延出する搬送ローラ１５０Ｃと当接しており、受入口１０３に搬入された紙幣を挟持して、紙幣をそのまま押圧待機部１０８に案内するようにしている。なお、本実施形態では、前記ベルト１５０は、紙幣の両サイドの表面に接触可能となるように、上記した押圧板１１５を挟むようにして左右一対設けられている。また、ベルト１５０は、両端におけるプーリ１５０Ａ，１５０Ｂの巻回以外に、中間位置でテンションプーリを当て付け、弛みを防止するようにしても良い。
【００４６】
前記一対のベルト１５０は、装置本体２内に設置される上述した複数の搬送ローラを駆動するモータ１３によって駆動されるようになっている。具体的には、図６に示すように、モータ１３によって駆動される上述した駆動ベルト１３Ｂは、駆動力伝達用のプーリ１３Ｄに巻回されており、このプーリ１３Ｄに順次設置される動力伝達用のギヤトレイン１３Ｅには、受入口１０３側に回転可能に支持されているプーリ１５０Ａの支軸の端部に設置されたギヤトレイン１５３が噛合するようになっている。すなわち、紙幣収容部１００が装置本体２に装着された際、ギヤトレイン１３Ｅの最終ギヤには、ギヤトレイン１５３の入力ギヤが噛合するようになっており、一対のベルト１５０は、モータ１３の回転駆動により、上述した紙幣搬送用の搬送ローラ１４Ｂ，１５Ｂ，１６Ｂ，１７Ｂと一体的に回転駆動されるようになっている。
【００４７】
また、上記した押圧板検知センサ２３は、紙幣を載置プレート１０５に向けて押圧する押圧板１１５の位置を検出できるように構成されており、更に、紙幣収容部１００を装置本体２のフレーム２Ａ（スタンド２Ｄ）に対して着脱した際、その着脱操作を検出できるように構成されている。
【００４８】
次に、上述した紙幣処理装置の動作を制御する制御手段について図１０を参照して説明する。
【００４９】
制御手段２００は、上記した各駆動装置の動作を制御する制御回路基板２００Ａを備えており、この制御回路基板上には、紙幣識別手段を構成するＣＰＵ（Central Processing Unit）２１０と、ＲＯＭ(Read Only Memory)２１２と、ＲＡＭ（Random Access Memory）２１４と、基準データ記憶部２１６とが実装されている。なお、本発明の制御手段は、制御手段２００だけでなく、リーダライタ１４２を含んだ構成に相当する。
【００５０】
前記ＲＯＭ２１２には、上述した紙幣搬送機構を駆動するモータ１３、押圧板を駆動するモータ２０、搬送ローラ１４Ａを搬送ローラ１４Ｂに向けて当接／離間するように駆動する駆動源７０、スキュー駆動機構１０を駆動するためのモータ４０等の各種駆動装置の作動プログラムや、紙幣読取手段８で読取る紙幣についての真贋判定プログラム等の各種プログラム、及び恒久的なデータが記憶されており、ＣＰＵ２１０は、ＲＯＭ２１２に記憶されている前記プログラムに従って制御信号を生成し、Ｉ／Ｏポート２２０を介して上述した各種駆動装置との間で信号の入出力を行い、各種駆動装置の駆動制御を行う。
【００５１】
また、ＣＰＵ２１０には、Ｉ／Ｏポート２２０を介して、挿入検知センサ７、可動片通過検知センサ１２、排出検知センサ１８、磁気センサ１４０、及び押圧板１１５の位置を検出する押圧板検知センサ２３等、各種センサからの検知信号が入力されるようになっており、これらの検知信号に基づいて、各種駆動装置の駆動制御が行われる。
【００５２】
また、前記ＲＡＭ２１４には、ＣＰＵ２１０が作動する際に用いるデータやプログラムが記憶されており、基準データ記憶部２１６には、紙幣の真贋判定を行うときに用いられる基準データ、例えば、真券紙幣の全印刷領域から取得した各種のデータ（例えば、濃淡に関するデータ、赤外線を紙幣に投光した際の透過光や反射光に関するデータなど）が基準データとして記憶されている。なお、基準データについては、専用の基準データ記憶部２１６に記憶させているが、これをＲＯＭ２１２に記憶させておいても良い。
【００５３】
そして、ＣＰＵ２１０には、Ｉ／Ｏポート２２０を介して、上記した紙幣読取手段８を構成する紙幣読取用検知センサ（例えば、ラインセンサ）８０が接続されており、この紙幣読取用検知センサ８０で読取った紙幣読取データは、基準データ記憶部２１６に記憶されている基準データと比較され、紙幣の真贋判定処理が実行される。
【００５４】
また、前記ＣＰＵ２１０は、Ｉ／Ｏポート２２０を介して、前記リーダライタ１４２に、紙幣収容部に収容すべき紙幣に関する紙幣情報を送信するようになっている。すなわち、前記ＣＰＵ２１０は、紙幣読取用検知センサ８０で読取った紙幣読取データを、基準データ記憶部２１６に記憶されている基準データと比較し、紙幣の真贋判定処理を実行して、その紙幣が真正であると判定した際、前記リーダライタ１４２を駆動し、紙幣収容部１００に設置されている記憶手段（ＩＤタグ）１０４に対して、真正と判定した紙幣の情報の書き込みを実施する。
【００５５】
この場合、記憶手段１０４に対しては、収容される紙幣情報（金額情報）に加え、その紙幣が挿入された時間情報、及び、装置本体２の固有ＩＤ情報を関連付けして記憶するようにしても良い。具体的には、例えば、装置本体２に対して紙幣収容部１００を装着したときに、その紙幣処理装置１の装置本体２に予め与えられている固有のＩＤ情報を、記憶手段１０４の記憶部１０４ｂに書き込んで、装置本体２と紙幣収容部１００の関連付けを行う。
【００５６】
また、前記ＣＰＵ２１０は、Ｉ／Ｏポート２２０を介して、外部接続される管理サーバ２６０に対して、前記リーダライタ１４２によって記憶手段１０４に書き込まれる紙幣情報と同一の情報を、上記した固有のＩＤ情報に関連付けして送信するようになっている。本実施形態では、図１１に示すように、管理サーバ２６０は、夫々紙幣処理装置１を組み込んだ多数の遊技機３００を管理（遊技場を管理するホールコンピュータなど）するよう構成されており、夫々の紙幣処理装置１で入金処理された金額情報がＩＤ情報と共に送信され、管理サーバ２６０では、夫々の紙幣処理装置での入金情報がＩＤ情報と共に記憶、管理される。なお、管理サーバ２６０と、各遊技機３００（紙幣処理装置１）との間は、インターネットやＬＡＮ等の専用の通信網５００を介して情報の送受信がなされる。
【００５７】
さらに、上記した紙幣処理装置１から取り外される紙幣収容部１００については、例えば、図１１に示すように、その記憶手段（ＩＤタグ）１０４に記憶されている情報の読み出しを行う管理装置２８０を利用して、内部に収容されている紙幣を管理するようにしても良い。具体的には、管理装置２８０は、ＣＰＵや記憶手段等を備えた管理制御部２８１と、無線により、紙幣収容部１００に組み込まれた記憶手段（ＩＤタグ）１０４に記録されている入金情報の読取りが可能なリーダライタ装置（Ｒ／Ｗ装置）２８２と、ディスプレイのような表示装置２８３とを備えている。尚、管理装置２８０と管理サーバ２６０が、本発明の管理システムに相当する。
【００５８】
そして、管理装置２８０において、夫々の紙幣収容部１００の記憶手段（ＩＤタグ）１０４に記録されている入金情報をリーダライタ装置２８２で読み出した際、その読み出した入金情報を、上記した管理サーバ２６０において既に記録されている紙幣収容部毎の入金情報との間でデータ照合を行うこと（入金情報のマッチング処理）により、不正行為をチェックすることが可能となる。
【００５９】
或いは、表示装置２８３において、リーダライタ装置２８２で読み出した入金情報を表示させ、この状態で、実際にその紙幣収容部１００に収容されている紙幣を取り出して計測し、両者を対比することでも、不正行為をチェックすることが可能となる。なお、このようなチェックに加え、上記のような管理サーバ２６０との間の入金情報のマッチング処理を実施することで、二重チェックが行えるようになり、信頼性がより向上するようになる。
【００６０】
上記のように、紙幣処理装置１と紙幣収容部１００は、ＩＤ情報により関連付けされているため、紙幣回収のため多数の遊技機から複数の紙幣収容部１００を取り外しても、装着すべき装置本体を容易に把握することが可能となり、更には、収容されている金額情報から、人気のある遊技機３００を容易に特定することが可能となる。
【００６１】
また、それぞれの紙幣処理装置１において、上記したように、紙幣挿入口５から挿入され、紙幣収容部１００に収容される紙幣に関する情報は、送信部となるリーダライタ１４２と、記憶手段（ＩＤタグ）１０４のコイルアンテナ１０４ｃとの間で無線により送受信されるため、従来のように、装置内に接続端子や電力兼信号線を設置する必要がなく、これにより、両者の間で接続端子間の接触不良が生じることもない。従って、装置本体２から紙幣に関する情報を、紙幣収容部１００側に確実に供給することが可能となる。
【００６２】
また、上記した構成においては、記憶手段（ＩＤタグ）１０４のコイルアンテナ１０４ｃは、紙幣収容部１００の着脱方向に沿った表面側（上壁１０２ｂ）に設置されており、紙幣情報を送信する送信部となるリーダライタ１４２は、紙幣収容部１００の上壁１０２ｂと対向した部分に設置されていることから、紙幣収容部１００が、装置本体２のフレーム（スタンド２Ｄ）に対して装着が未完全であったとしても、両者の間で通信できなくなる可能性を少なくすることができる。
【００６３】
具体的には、図１２（ｂ）に示すように、紙幣収容部１００の着脱方向と直交するような方向でリーダライタ１４２と記憶手段１０４を配置すると、図１２（ｂ）の右側の図に示すように、紙幣収容部１００のスタンド２Ｄに対する装着が未完全の場合、両者の間の距離Ｌが開いてしまうため、紙幣情報の確実な送信ができなくなる可能性がある。これに対し、本実施形態のように構成すると、図１２（ａ）の左側に示す状態に対して、右側に示すように、紙幣収容部１００のスタンド２Ｄに対する装着が未完全であったとしても、装置本体のフレーム側に設置されたリーダライタ１４２と紙幣収容部１００側に設置された記憶手段１０４のコイルアンテナ１０４ｃとの間の距離Ｌは、通信が可能な距離に維持しておくことが可能となり、両者の間で通信できなくなる可能性を少なくすることができる。
【００６４】
以上のように、リーダライタ１４２と記憶手段１０４の配置関係については、図１２（ａ）に示すような関係になっていることが好ましいが、もちろん、本発明は、図１２（ｂ）に示すような配置関係になっていても良い。なお、図１２（ｂ）に示すような配置関係であれば、紙幣収容部１００に設置される開閉蓋は、図７に示す前壁１０２ａとすることが好ましい。すなわち、このような配置関係にすることで、開閉蓋と記憶手段との間に付勢手段が介在することとなり、開閉蓋を開けて記憶手段１０４に対して不正な行為をすることを効果的に防止することが可能となる。
【００６５】
次に、上述した制御手段２００によって実行される紙幣処理装置１における紙幣の処理動作について、図１６から図１９のフローチャートに従って説明する。
【００６６】
操作者が紙幣を紙幣挿入口５に挿入する際、紙幣挿入口の近傍に設置される搬送ローラ対（１４Ａ，１４Ｂ）は、初期状態において離間した状態にある（後述するＳＴ１６，ＳＴ５６参照）。また、押圧板１１５は、押圧板１１５を駆動する一対のリンク部材１１５ａ，１１５ｂが押圧待機部１０８の経路に位置しており、紙幣が一対のリンク部材１１５ａ，１１５ｂによって受入口１０３から押圧待機部１０８に搬入できない位置（待機位置と称する）に設定されている（後述するＳＴ１３４参照）。すなわち、この状態では、一対の規制部材１１０の間に形成された開口部１１０Ａに押圧板１１５が入り込んで、紙幣が通過する開口部は閉塞した状態となっており、紙幣収容部内に収容されている紙幣を抜き取ることができない状態となっている。
【００６７】
さらに、搬送ローラ対（１４Ａ，１４Ｂ）の下流側に位置するスキュー補正機構１０を構成する一対の可動片１０Ａは、初期状態において、あらゆる紙幣の引き抜きができないように最小幅（例えば一対の可動片１０Ａの間隔が５２ｍｍ；後述するＳＴ１５，ＳＴ５７参照）に移動した状態にある。
【００６８】
上記した搬送ローラ対（１４Ａ，１４Ｂ）の初期状態では、皺のある紙幣であっても、操作者は容易に挿入することができる。そして、挿入検知センサ７によって紙幣の挿入が検知されると（ＳＴ０１）、上述した押圧板１１５の駆動用のモータ２０を所定量逆転駆動し（ＳＴ０２）、押圧板１１５を初期位置に移動させる。この初期位置では、押圧待機部１０８は開放状態になっており（図５参照）、紙幣は、紙幣収容部１００内に搬入可能となっている。すなわち、モータ２０を所定量逆転駆動することで、押圧板１１５は、本体側ギヤトレイン２１、及び押圧板駆動機構１２０（収容部側ギヤトレイン１２４、可動部材１２２に形成されるラック、及びリンク部材１１５ａ，１１５ｂ等）を介して、上記した待機位置から初期位置に駆動される。この押圧板１１５の移動により、押圧待機部１０８が開放され、紙幣が紙幣収容部内に搬入可能な状態となる。
【００６９】
この状態で、上述した駆動源７０を駆動し、上側の搬送ローラ１４Ａを下側の搬送ローラ１４Ｂに当接するように移動させる。これにより、挿入された紙幣は搬送ローラ対（１４Ａ，１４Ｂ）によって挟持される（ＳＴ０３）。
【００７０】
次いで、紙幣搬送路の開放処理が成される（ＳＴ０４）。この開放処理は、図１６に示すフローチャートに示すように、述したスキュー補正機構用のモータ４０を逆転駆動することで、一対の可動片１０Ａを互いに離間する方向に駆動することで成される（ＳＴ１００）。このとき、一対の可動片１０Ａの位置を検知する可動片検知センサによって、一対の可動片１０Ａが所定位置（最大幅位置）に移動したことが検知されると（ＳＴ１０１）、モータ４０の逆転駆動が停止される（ＳＴ１０２）。この搬送路開放処理により、一対の可動片１０Ａ内に紙幣が進入できる状態になっている。なお、このＳＴ０４の前段階では、紙幣搬送路３は、後述する搬送路閉鎖処理（ＳＴ１５，ＳＴ５７）によって閉鎖された状態にあるが、このように、紙幣挿入前に紙幣搬送路３を閉じておくことで、例えば、不正目的などで紙幣挿入口から板状の部材を挿入して、ラインセンサなどの素子を破損させることを防止することができる。
【００７１】
次いで、紙幣搬送用のモータ１３が正転駆動される（ＳＴ０５）。紙幣は、搬送ローラ対（１４Ａ，１４Ｂ）によって装置内部に搬送され、スキュー補正機構１０よりも下流側に配設されている可動片通過検知センサ１２が紙幣の先端を検知すると、紙幣搬送用のモータ１３は停止される（ＳＴ０６，ＳＴ０７）。このとき、紙幣は、スキュー補正機構１０を構成する一対の可動片１０Ａ間に位置している。
【００７２】
引き続き、上述した駆動源７０を駆動し、紙幣を挟持した状態となっている搬送ローラ対（１４Ａ，１４Ｂ）を離間させる（ＳＴ０８）。このとき、紙幣には、何等、負荷が作用していない状態となる。
【００７３】
そして、この状態でスキュー補正作動処理を行う（ＳＴ０９）。このスキュー補正作動処理は、上述したスキュー補正機構用のモータ４０を正転駆動することで、一対の可動片１０Ａを互いに接近する方向に駆動することで成される。すなわち、このスキュー補正作動処理は、図１７のフローチャートに示すように、上述したモータ４０を正転駆動することで、一対の可動片１０Ａを、互いに接近する方向に移動する（ＳＴ１１０）。この可動片の移動は、制御手段における基準データ記憶部に登録されている紙幣の最小幅（例；幅６２ｍｍ）となるまで実行され、これにより、紙幣は、両側に当て付く可動片１０Ａによって、スキューが補正され、正確な中心位置となるように位置決めされる。
【００７４】
上述したようなスキュー補正作動処理が終了すると、引き続き、搬送路開放処理が実行される（ＳＴ１０）。これは、上述したスキュー補正機構用のモータ４０を逆転駆動することで、一対の可動片１０Ａを離間する方向に移動することで成される（図１６のＳＴ１００〜ＳＴ１０２参照）。
【００７５】
続いて、上述した駆動源７０を駆動し、上側の搬送ローラ１４Ａを下側の搬送ローラ１４Ｂに当接するように移動させ、紙幣を搬送ローラ対（１４Ａ，１４Ｂ）に挟持させる（ＳＴ１１）。その後、紙幣搬送用のモータ１３を正転駆動して紙幣を装置内部に向けて搬送し、紙幣が紙幣読取手段８を通過する際に、紙幣の読取処理を実行する（ＳＴ１２，ＳＴ１３）。
【００７６】
そして、搬送される紙幣が紙幣読取手段８を通過して、紙幣の後端が、可動片通過検知センサ１２によって検知されると（ＳＴ１４）、紙幣搬送路３の閉鎖処理が実行される（ＳＴ１５）。この処理においては、まず、図１８のフローチャートに示すように、紙幣の後端が、可動片通過検知センサ１２によって検知された後、上述したモータ４０を正転駆動することで、一対の可動片１０Ａを、互いに接近する方向に移動する（ＳＴ１２０）。次に、可動片検知センサによって、可動片１０Ａが所定位置（最小幅位置、例えば５２ｍｍ）に移動したことが検知されると（ＳＴ１２１）、モータ４０の正転駆動が停止される（ＳＴ１２２）。
【００７７】
この搬送路閉鎖処理により、一対の可動片１０Ａは、挿入可能なあらゆる紙幣の幅よりも狭い最小幅位置（幅５２ｍｍ）に移動されており、これにより、紙幣の引き抜きを効果的に防止するようにしている。すなわち、このような紙幣搬送路の閉鎖処理を実行することで、挿入された紙幣の幅よりも、可動片１０Ａ間の距離が狭くなり、操作者が不正目的で紙幣を挿入口方向に向けて引き抜く行為を効果的に防止することが可能となる。
【００７８】
なお、この状態で上述した可動片検知センサが、可動片１０Ａの移動を検知した際、操作者が何らかの不正行為を行っているとみなし、所定の処理を実行するようにしても良い。例えば、紙幣処理装置の動作を管理する上位装置に対して不正操作信号（異常検知信号）を送信したり、紙幣処理装置に報知ランプを設けておき、これを点滅させたり、その後に操作者によって入力される入力受付（ＳＴ２２）の処理を有効化することなく、強制的に排出動作を行う等の処理を実行しても良い。或いは、紙幣処理装置の動作を無効（例えば、処理の停止処理、紙幣の排出処理など）にする等、適正な処理を行うようにしても良い。
【００７９】
また、上記した搬送路閉鎖処理（ＳＴ１５）に引き続いて、上述した駆動源７０を駆動し、紙幣を挟持可能な状態となっている搬送ローラ対（１４Ａ，１４Ｂ）を離間させる搬送ローラ対離間処理が行われる（ＳＴ１６）。この搬送ローラ対離間処理を行うことで、操作者が誤って紙幣を追加投入（二重投入）しても、紙幣は、搬送ローラ対（１４Ａ，１４Ｂ）による送り動作を受けることはなく、また、ＳＴ１５において接近した状態にある一対の可動片１０Ａの前端に突き当たることから、紙幣の二重投入動作を確実に防止することができる。
【００８０】
上記した紙幣搬送路の閉鎖処理と共に、紙幣読取手段８が紙幣の後端までデータを読取ると、紙幣搬送用のモータ１３を所定量駆動し、紙幣を所定位置（エスクロ位置；紙幣読取手段８の中心位置から１３ｍｍ紙幣が下流側に搬送された位置）で停止させ、このときに、制御手段２００において、紙幣の真贋判定処理を実行する（ＳＴ１７〜ＳＴ２０）。
【００８１】
上記したＳＴ２０の真贋判定処理において、紙幣が真券であると判定されると（ＳＴ２１；Ｙｅｓ）、操作者の入力を受付ける（ＳＴ２２）。これは、操作者が、サービスの提供（例えば、ゲーム装置であればゲーム開始に伴う受付処理）を受入れるべく、受入ボタンを押下する受入操作、及び、挿入した紙幣の返却処理を行うべく、返却ボタンを押下する処理が該当する。
【００８２】
そして、各種サービスの提供を受入れる操作が入力されると（ＳＴ２３；Ｙｅｓ）、引き続き、この状態で紙幣搬送用のモータ１３を正転駆動し、紙幣を、紙幣収容部１００に向けて搬送する（ＳＴ２４）。この紙幣の搬送に際しては、紙幣の後端が排出検知センサ１８によって検知されるまでは紙幣搬送用のモータ１３は正転駆動され（ＳＴ２５）、紙幣の後端が排出検知センサ１８によって検知されてから、紙幣搬送用のモータ１３は所定量だけ正転駆動される（ＳＴ２６，ＳＴ２７）。
【００８３】
このＳＴ２６、及びＳＴ２７における紙幣搬送用のモータ１３の正転駆動処理は、紙幣が、装置本体２の紙幣搬送路３の下流側にある排出口３ａから紙幣収容部１００の受入口１０３に搬入され、前記一対のベルト１５０が、搬入される紙幣の両側表面に接触して安定して、押圧待機部１０８に案内される駆動量に対応している。すなわち、紙幣の後端が排出検知センサ１８によって検知された後、更に、所定量、紙幣搬送用のモータ１３を正転駆動することで、前記一対のベルト１５０は、搬入される紙幣に接触しつつ紙幣送り方向に駆動され、紙幣を安定した状態で押圧待機部１０８に案内する。
【００８４】
そして、上記した紙幣搬送用のモータ１３が停止した後、紙幣を載置プレート１０５上に載置すべく押圧板１１５の駆動処理を実行する（ＳＴ２８）。
【００８５】
この押圧板１１５の駆動処理は、図１９に示すフローチャートに従って実行される。
最初、押圧板１１５の駆動用のモータ２０を所定量正転駆動することで、上記ＳＴ０２において初期位置にある押圧板１１５を押圧位置まで移動させる（ＳＴ１３０）。このモータ２０の正転回転駆動量は、モータ２０がＤＣモータによって構成されていれば、例えばエンコーダを利用してパルスを発生させ、そのパルス数を計測することで所定の回転量を設定することが可能である。すなわち、このように駆動用のモータ２０を所定量正転駆動することで、押圧板１１５は、本体側ギヤトレイン２１、及び押圧板駆動機構１２０（収容部側ギヤトレイン１２４、可動部材１２２に形成されるラック、及びリンク部材１１５ａ，１１５ｂ等）を介して初期位置から押圧位置に移動される。
【００８６】
この押圧板１１５の移動により、押圧待機部１０８にある紙幣は、一対の規制部材１１０間の開口部１１０Ａを左右対称となるようにＵ字状に撓みながら通過し、最終的に載置プレート１０５上に押し付けられる。このとき、紙幣は、上述したように一対のベルト１５０によって、片寄りがなく適正な押圧位置に搬送されているので、押圧板１１５が移動しても、一対の規制部材１１０との間でジャム等が生じることなく、安定した状態で載置プレート１０５上に載置される。
【００８７】
押圧板１１５が押圧位置へ移動すると、紙幣が安定して載置プレート１０５に載置されるように、押圧板１１５はその押圧位置で所定時間（２００ｍｓ）、待機処理され（ＳＴ１３１）、その後、押圧板１１５の駆動用のモータ２０を逆転駆動する（ＳＴ１３２）。そして、押圧板検知センサ２３によって、押圧板１１５が押圧位置から上述した待機位置に移動したことが検知されると、モータ２０の駆動が停止され、押圧板１１５は待機位置に停止される（ＳＴ１３３；Ｙｅｓ，ＳＴ１３４）。上述したように、この待機位置では、紙幣の抜き取りができない状態となっている。
【００８８】
なお、所定時間内に押圧板検知センサ２３が、押圧板１１５が押圧位置から待機位置に移動したことを検知しなければ、スタック動作に異常があったものとみなし、スタック動作に異常があった旨（エラー信号）を外部装置や報知手段等に送信する（ＳＴ１３３；Ｎｏ、ＳＴ１３３Ａ）。
【００８９】
上記したように、押圧板１１５が待機位置に停止されると、引き続きＣＰＵ２１０は、読取った紙幣の金額情報を、その紙幣処理装置に付与されている固有のＩＤ情報と共に管理サーバ２６０に対して送信する（ＳＴ１３５）。このため、管理サーバ２６０では、紙幣処理装置毎に送信されてくる入金情報が、逐次、記録、管理される。
【００９０】
そして、ＣＰＵ２１０は、管理サーバ２６０に対して入金情報を送信した後、リーダライタ１４２に対してその入金情報を送信し（ＳＴ１３６）、リーダライタ１４２によって、紙幣収容部１００に設けられている記憶手段（ＩＤタグ）に入金情報を記録する。
【００９１】
また、押圧板１１５が押圧位置から待機位置に移動した後、磁気センサ１４０が載置プレート１０５の裏面に設けられた磁気を検知すれば（ＳＴ１３７；Ｙｅｓ）、ＣＰＵ２１０に対して検知信号を送信し、紙幣収容部１００内に積載される紙幣が所定枚数に近づいていることを報知する（ＳＴ１３８；Ｎｏ、ＳＴ１３９）。
【００９２】
本実施形態では、磁気センサ１４０が閾値となる検知信号を発生するにあたり、安全性や取扱性等を考慮して、載置プレート１０５上に積載される紙幣が、予め定められた所定枚数に達する前（所定枚数より９枚少ない状態）に、検知信号が発生するように磁気センサ１４０が設置されている。
【００９３】
具体的には、磁気センサ１４０が磁石１４０Ａによる磁気を検知し始めると、ＣＰＵ２１０では、その後の紙幣の収容動作毎（１枚の収容動作毎）にカウントアップを繰り返し（ＳＴ１４０）、その情報をＲＡＭ２１４に書き込んで行く。ＣＰＵ２１０では、それが９回以内であれば、スタックが満杯に近づいていることを報知する（ＳＴ１３９）。この報知は、具体的には、音声によってその状態を報知するスピーカや、視覚的にその状態を報知するランプ等で構成される報知手段に対して駆動信号を送信し、管理者等に対して、音声やランプ等でスタックが満杯に近づいていることを把握させるようにする。これにより、管理者は、紙幣収容部１００内に紙幣が所定枚数になる前に、紙幣収容部１００を交換することが可能となる。
【００９４】
或いは、ＣＰＵ２１０は、紙幣処理装置（遊技機）の動作を管理する管理サーバ２６０（図１０参照）に対してエラー信号を送信して、その状態を別の箇所で把握させるようにしても良い。このように構成することで、紙幣収容部１００を取り外すタイミングを適切に管理することが可能となる。
【００９５】
なお、前記磁気センサ１４０が磁気を検知した後、更に、紙幣収容部１００を交換することなく、１０回以上の紙幣のスタック動作が繰り返されたことが検出されると（ＳＴ１３８；Ｙｅｓ）、これ以上、紙幣が挿入されないように、装置の無効化処理が実行される（ＳＴ１３８Ａ）。この無効化処理は、利用者が紙幣を紙幣挿入口５に挿入しても、内部に紙幣を搬送しないように、例えば、上述した紙幣搬送機構６の紙幣搬送用のモータ１３の駆動を停止する等の処理をすれば良い。これにより、紙幣を、所定枚数を超えて紙幣収容部１００に搬送することがなくなるため、紙幣収容部１００の構成部品が故障するのを防止することが可能になる。
【００９６】
また、上述した処理手順のＳＴ２１において、挿入された紙幣が真券でないと判別された場合、或いは、操作者によって返却ボタンが押下された場合（ＳＴ２３；Ｎｏ）、搬送路開放処理を実行し（ＳＴ５１、図１６のＳＴ１００〜ＳＴ１０２参照）、その後、紙幣搬送用のモータ１３を逆転駆動し、搬送ローラ対（１４Ａ，１４Ｂ）の挟持処理を実行した後、エスクロ位置に待機している紙幣を、紙幣挿入口５に向けて搬送する（ＳＴ５２，５３）。そして、挿入検知センサ７が紙幣挿入口５に向けて差し戻される紙幣の後端を検知した際に、紙幣搬送用のモータ１３の逆転駆動を停止すると共に、上述した駆動源７０を駆動し、紙幣を挟持した状態となっている搬送ローラ対（１４Ａ，１４Ｂ）を離間させる（ＳＴ５４〜ＳＴ５６）。そして、搬送路閉鎖処理を実施し（ＳＴ５７）、ＳＴ０２において初期位置に移動された押圧板を待機位置に戻すように、押圧板１１５の駆動用のモータ２０を所定量正転駆動し（ＳＴ５８）、一連の処理が終了する。
【００９７】
以上、本発明の実施形態について説明したが、本発明は、上記した実施形態に限定されることなく、種々変形して実施することが可能である。
【００９８】
本発明は、装置本体側において、紙幣挿入口から挿入された紙幣の情報を無線により送信する送信部（リーダライタ）を設置し、紙幣収容部側において、前記送信部から送信された情報を無線により受信するアンテナと、アンテナから受信した紙幣の情報を記憶する記憶部とを有するように構成されていれば良く、それ以外の装置の構成、例えば、上述した各種の駆動部材を駆動する駆動源、或いは、その駆動源からの動力伝達機構等については適宜変形することが可能である。また、送信部と、送信部から送信される情報を受信するアンテナについても、その構成や設置位置についても適宜変形することが可能である。
【産業上の利用可能性】
【００９９】
本発明は、例えば、紙幣が挿入されたことで、商品やサービスを提供する各種の装置に組み込むことが可能である。また、紙幣に限られず、クーポン券のような紙葉類を処理する処理装置に適用することが可能である。
【符号の説明】
【０１００】
１ 紙幣処理装置
２ 装置本体
２Ａ フレーム
３ 紙幣搬送路
５ 紙幣挿入口
６ 紙幣搬送機構
８ 紙幣読取手段
１０ スキュー補正機構
１００ 紙幣収容部
１０４ 記憶手段
１０４ａ 基板
１０４ｂ 記憶部
１０４ｃ コイルアンテナ
１０５ 載置プレート
１０８ 押圧待機部
１１５ 押圧板
１２０ 押圧板駆動機構
１４０ 磁気センサ
１４０Ａ 磁石
１４２ リーダライタ
２００ 制御手段
２６０ 管理サーバ
２８０ 管理装置
【図１】
0005546071.tif 000002
【図２】
0005546071.tif 000003
【図３】
0005546071.tif 000004
【図４】
0005546071.tif 000005
【図５】
0005546071.tif 000006
【図６】
0005546071.tif 000007
【図７】
0005546071.tif 000008
【図８】
0005546071.tif 000009
【図９】
0005546071.tif 000010
【図１０】
0005546071.tif 000011
【図１１】
0005546071.tif 000012
【図１２】
0005546071.tif 000013
【図１３】
0005546071.tif 000014
【図１４】
0005546071.tif 000015
【図１５】
0005546071.tif 000016
【図１６】
0005546071.tif 000017
【図１７】
0005546071.tif 000018
【図１８】
0005546071.tif 000019
【図１９】
0005546071.tif 000020